(57)【要約】  デジタル式のＸ線検出器（４）を保持するために特に適した、Ｘ線設備（１）に用いられるスタンド（５）と、このようなスタンド（５）を備えたＸ線設備（１）とが記載される。スタンド（５）は、ベースフレーム（６）に水平方向軸線（１８）を中心として回動可能に支承されたＵ字形ブラケット（１６）を有している。このＵ字形ブラケット（１６）は、Ｘ線放射器（２）を保持するための第１の脚部（１９）と、Ｘ線検出器（４）を保持するための検出器ホルダ（２１）を自由端側に備えた第２の脚部（２０）とを有している。検出器ホルダ（２１）は取付けエレメント（２３）を有している。この取付けエレメント（２３）は、Ｘ線検出器（４）を、設定された位置に紛失に対して安全に取り付けるために形成されている。取付けエレメント（２３）は、Ｕ字形ブラケット（１６）に対して、水平方向軸線（１８）に対して平行にまたは接線方向に方向付けられた傾動軸線（２４）と、該傾動軸線（２４）および取付けエレメント（２３）の主平面（Ｅ）に対して垂直な回動軸線（２５）とを中心として旋回可能である。
2008520301.tif 000002
【特許請求の範囲】
【請求項１】
Ｘ線設備（１）に用いられるスタンド（５）において、ベースフレーム（６）に水平方向軸線（１８）を中心として回動可能に支承されたＵ字形ブラケット（１６）が設けられており、該Ｕ字形ブラケット（１６）が、Ｘ線放射器（２）を保持するための第１の脚部（１９）と、Ｘ線検出器（４）を保持するための検出器ホルダ（２１）を自由端側に備えた第２の脚部（２０）とを有しており、検出器ホルダ（２１）が、取付けエレメント（２３）を有しており、該取付けエレメント（２３）が、Ｘ線検出器（４）を、設定された位置に紛失に対して安全に取り付けるために形成されており、取付けエレメント（２３）が、Ｕ字形ブラケット（１６）に対して、水平方向軸線（１８）に対して平行にまたは接線方向に方向付けられた傾動軸線（２４）と、該傾動軸線（２４）および取付けエレメント（２３）の主平面（Ｅ）に対して垂直な回動軸線（２５）とを中心として旋回可能であることを特徴とする、Ｘ線設備に用いられるスタンド。
【請求項２】
取付けエレメント（２３）が、Ｘ線検出器（４）を工具なしに取り付けかつ取り外すために形成されている、請求項１記載のスタンド。
【請求項３】
取付けエレメント（２３）が、Ｘ線検出器（４）を位置決めするための幾つかのクリップエレメント（３９，４０，４５）を有している、請求項１または２記載のスタンド。
【請求項４】
少なくとも１つのクリップエレメント（４０）が、Ｘ線検出器（４）を取り付けるかもしくは取り外すために、所定の位置決め位置から弾性的に変位可能である、請求項３記載のスタンド。
【請求項５】
少なくとも１つのクリップエレメント（４５）が、Ｘ線検出器（４）を取り付けるかもしくは取り外すために、所定の位置決め位置から操作機構（４７）によって可逆的に変位可能である、請求項３記載のスタンド。
【請求項６】
取付けエレメント（２３）が、ポケットとして形成されており、該ポケット内にＸ線検出器（４）が押込み可能である、請求項１から５までのいずれか１項記載のスタンド。
【請求項７】
検出器ホルダ（２１）が、係止手段（３６，３７，５８）を有しており、該係止手段（３６，３７，５８）が、取付けエレメント（２３）を回動軸線（２５）および／または傾動軸線（２４）を中心とした旋回時に複数の係止位置の１つに解除可能に係止するようになっている、請求項１から６までのいずれか１項記載のスタンド。
【請求項８】
ベースフレーム（６）が、室壁または室天井（７）に取り付けるために形成されている、請求項１から７までのいずれか１項記載のスタンド。
【請求項９】
請求項１から８までのいずれか１項記載のスタンド（５）を備えたＸ線設備（１）において、Ｘ線検出器（４）と、該Ｘ線検出器（４）を制御するための制御ユニット（２７）とが設けられており、該制御ユニット（２７）が、スタンド（５）のベースフレーム（６）に取り付けられていることを特徴とする、スタンドを備えたＸ線設備。
【請求項１０】
制御ユニット（２７）とＸ線検出器（４）とが、給電ケーブル（２６）によって接続されており、該給電ケーブル（２６）が、スタンド（５）に対して外側に配置されたケーブルガイド（２８）内にガイドされている、請求項９記載のＸ線設備。
【請求項１１】
ケーブルガイド（２８）が、給電ケーブル（２６）を休止位置に自動的に戻すための戻し装置（３０）を有している、請求項９または１０記載のＸ線設備。
【請求項１２】
ケーブルガイド（２８）が、少なくとも１つの点保持部（２９）を有しており、該点保持部（２９）が、給電ケーブル（２６）をスタンド（５）に工具なしに解離可能に位置決めするために形成されている、請求項９から１１までのいずれか１項記載のＸ線設備。
【発明の詳細な説明】
【技術分野】
【０００１】
本発明は、Ｘ線設備に用いられるスタンドに関する。さらに、本発明は、このようなスタンドを備えたＸ線設備に関する。
【０００２】
慣用のＸ線設備では、通常、スタンドが設けられている。このスタンドはＸ線放射器とカセッテケースとを保持している。この場合、このカセッテケースは、フィルムカセッテ、メモリシートまたはこれに類するものを収容するために設けられている。このような形式のスタンドは、特にいわゆる「Ｕ字形ブラケット」を有している。このＵ字形ブラケットは水平方向軸線を中心として回動可能に支承されている。Ｕ字形ブラケットは第１の脚部にＸ線放射器を支持していて、第２の脚部にカセッテケースを支持しており、これによって、Ｘ線放射器とカセッテケースとが、室内でのＵ字形ブラケットの旋回位置と無関係に常に、放射方向を基準としてセンタリングされた対向位置に位置決めされている。
【０００３】
従来使用されるフィルムカセッテの代わりに、最近では、ますますデジタル式のＸ線検出器が使用される。このＸ線検出器では、撮影されたＸ線画像がデジタル式の画像データの形で形成される。特にそうこうしている間、二次元の平面画像検出器が商業的に使用可能である。この平面画像検出器は可動に使用可能である。
【０００４】
本発明の課題は、デジタル式のＸ線検出器を保持するために特に適した、Ｘ線設備に用いられるスタンドを提供することである。さらに、本発明の課題は、デジタル式のＸ線検出器と、このような形式のスタンドとを備えた適切なＸ線設備を提供することである。
【０００５】
この課題を解決するために本発明のスタンドでは、Ｘ線設備に用いられるスタンドにおいて、ベースフレームに水平方向軸線を中心として回動可能に支承されたＵ字形ブラケットが設けられており、該Ｕ字形ブラケットが、Ｘ線放射器を保持するための第１の脚部と、Ｘ線検出器を保持するための検出器ホルダを自由端側に備えた第２の脚部とを有しており、検出器ホルダが、取付けエレメントを有しており、該取付けエレメントが、Ｘ線検出器を、設定された位置に紛失に対して安全に取り付けるために形成されており、取付けエレメントが、Ｕ字形ブラケットに対して、水平方向軸線に対して平行にまたは接線方向に方向付けられた傾動軸線と、該傾動軸線および取付けエレメントの主平面に対して垂直な回動軸線とを中心として旋回可能であるようにした。
【０００６】
本発明の有利なスタンドによれば、取付けエレメントが、Ｘ線検出器を工具なしに取り付けかつ取り外すために形成されている。
【０００７】
本発明の有利なスタンドによれば、取付けエレメントが、Ｘ線検出器を位置決めするための幾つかのクリップエレメントを有している。
【０００８】
本発明の有利なスタンドによれば、少なくとも１つのクリップエレメントが、Ｘ線検出器を取り付けるかもしくは取り外すために、所定の位置決め位置から弾性的に変位可能である。
【０００９】
本発明の有利なスタンドによれば、少なくとも１つのクリップエレメントが、Ｘ線検出器を取り付けるかもしくは取り外すために、所定の位置決め位置から操作機構によって可逆的に変位可能である。
【００１０】
本発明の有利なスタンドによれば、取付けエレメントが、ポケットとして形成されており、該ポケット内にＸ線検出器が押込み可能である。
【００１１】
本発明の有利なスタンドによれば、検出器ホルダが、係止手段を有しており、該係止手段が、取付けエレメントを回動軸線および／または傾動軸線を中心とした旋回時に複数の係止位置の１つに解除可能に係止するようになっている。
【００１２】
本発明の有利なスタンドによれば、ベースフレームが、室壁または室天井に取り付けるために形成されている。
【００１３】
前述した課題を解決するために本発明のＸ線設備では、前述したスタンドを備えたＸ線設備において、Ｘ線検出器と、該Ｘ線検出器を制御するための制御ユニットとが設けられており、該制御ユニットが、スタンドのベースフレームに取り付けられているようにした。
【００１４】
本発明の有利なＸ線設備によれば、制御ユニットとＸ線検出器とが、給電ケーブルによって接続されており、該給電ケーブルが、スタンドに対して外側に配置されたケーブルガイド内にガイドされている。
【００１５】
本発明の有利なＸ線設備によれば、ケーブルガイドが、給電ケーブルを休止位置に自動的に戻すための戻し装置を有している。
【００１６】
本発明の有利なＸ線設備によれば、ケーブルガイドが、少なくとも１つの点保持部を有しており、該点保持部が、給電ケーブルをスタンドに工具なしに解離可能に位置決めするために形成されている。
【００１７】
スタンドに関して、前述した課題は、本発明によれば、請求項１の特徴によって解決される。これによれば、スタンドがベースフレームを有している。このベースフレームには、Ｕ字形ブラケットが、水平方向軸線を中心として回動可能に支承されている。Ｕ字形ブラケットは、Ｘ線放射器を保持するための第１の脚部と、自由端側に検出器ホルダが取り付けられた第２の脚部とを有している。さらに、検出器ホルダは取付けエレメントを有している。この取付けエレメントには、特に平面画像検出器として形成されたデジタル式のＸ線検出器が、設定された位置に紛失に対して安全に位置決め可能である。この場合、検出器ホルダは、取付けエレメントが、場合により取付けエレメントに位置決めされたＸ線検出器と一緒に、水平方向軸線に対して平行に方向付けられた傾動軸線だけでなく、この傾動軸線に対して垂直な回動軸線を中心としても旋回可能であるように形成されている。この回動軸線は、取付けエレメントの延在方向によって規定された主平面に対する面法線に相当しており、これによって、主平面が、回動軸線を中心とした取付けエレメントの旋回に対して不変となる。これによって、取付けエレメントに位置決めされたＸ線検出器も、主平面に対してほぼ平行な検出器面が室内で傾動させられることなしに回動させられる。等価的には、検出器ホルダは、傾動軸線が水平方向軸線に対して接線方向に、すなわち、垂直方向にかつ間隔を置いて方向付けられているようにＵ字形ブラケットに取り付けられていてもよい。
【００１８】
検出器ホルダの二軸式の調節可能性によって、種々異なる多数の撮影位置に対するＸ線検出器のフレキシブルな使用が可能となる。この場合、特にＸ線検出器を回動軸線を中心として回動させることができるようにする可能性が有利である。これによって、その都度の撮影位置に対するデジタル式のＸ線検出器の、制限された検出器面が特に良好に使用可能となる。
【００１９】
有利な構成では、Ｘ線検出器が工具の使用なしに、特に片手で位置決め可能であり、再び取外し可能であるように、取付けエレメントが形成されている。これによって、Ｘ線検出器の可動の使用に関するＸ線設備のハンドリングが簡単になる。これによって、特にＸ線検出器をスタンドの検出器ホルダから簡単に取り外すことができ、たとえば別個に設けられたブッキーテーブル機器内に挿入することができるかまたは自由な撮影のために使用することができる。
【００２０】
Ｘ線検出器を確実にかつ同時に簡単に解離可能に取り付けることに関して、取付けエレメントは、有利には、複数のクリップエレメントを有している。これらのクリップエレメントはＸ線検出器を所定の位置決め位置において全ての側で取り囲んだ状態に把持する。特に有利な構成では、このような取付けエレメントが、Ｘ線検出器の角隅を取り囲んだ状態に把持するように配置されている。
【００２１】
Ｘ線検出器の特に簡単な取付けもしくは取外しのために、有利には、少なくとも１つのクリップエレメントが所定の位置決め位置から弾性的に変位可能である。これに対して択一的には、操作機構が設けられている。この操作機構によって、１つまたはそれ以上のクリップエレメントがその都度の位置決め位置から可逆的に変位可能となる。
【００２２】
別の有利な構成では、取付けエレメントがポケットを優遇する。このポケット内には、Ｘ線検出器が押込み可能である。
【００２３】
さらに、検出器ホルダは、有利には、係止手段を有している。この係止手段によって、取付けエレメントが、傾動軸線を中心とした旋回時にかつ／または回動軸線を中心とした旋回時に複数の旋回位置の１つに解除可能に係止され、これによって、取付けエレメントが、望ましくな自動回動に対して位置固定される。このような係止手段は、特に感覚式固定装置のように形成されている。この感覚式固定装置は取付けエレメントの旋回時に、取付けエレメントが係止する押圧点を形成する。この場合、この押圧点は、相応の対圧を手により加えることで解除可能である。択一的には、取付けエレメントが、手により解除可能な摩擦接続またはその他の解離可能な位置決め機構によって、不本意な自動旋回に対して位置固定されている。
【００２４】
スタンドは、特に天井スタンドである。ベースフレームは、相応して、室天井に取り付けるために形成されている。
【００２５】
Ｘ線設備に関して、前述した課題は、本発明によれば、請求項９の特徴によって解決される。これによれば、Ｘ線設備が、デジタル式のＸ線検出器と、このＸ線検出器を保持するために設けられた、前述したスタンドとを有している。さらに、Ｘ線設備は、Ｘ線検出器の制御、特にＸ線検出器への電圧供給のための制御ユニットを有している。この場合、この制御ユニットはスタンドのベースフレームに取り付けられている。
【００２６】
前述したスタンドの使用によって、前述したように、Ｘ線検出器のフレキシブルな使用可能性が可能になる。このことは、スタンドのベースフレームへの制御ユニットの、Ｘ線設備における作業過程を妨害しないスペース節約的な取付けによって助成される。
【００２７】
有利には、制御ユニットをＸ線検出器に接続する給電ケーブルが、スタンドに対して外側に配置されたケーブルガイド内にガイドされている。このことは、Ｘ線検出器の可動の使用において特に有利であり、これによって、１つには、スタンドに取り付けられたＸ線検出器において、給電ケーブルを整然としてスタンドに沿ってガイドすることができ、もう１つには、スタンドの外部でのＸ線検出器の使用時に給電ケーブルをスタンドから容易に取り外すことができる。
【００２８】
この場合、ケーブルガイドは、有利には、給電ケーブルのための戻し装置を有している。この戻し装置は、完全なケーブル長さが必要にならない限り、給電ケーブルを、Ｘ線設備の作業領域から引き戻された休止位置もしくは引込み位置に自動的に引っ張る。戻し装置は、特に自動引込み式のケーブルドラムおよび／または給電ケーブルに作用する操作ワイヤの形で実現されている。付加的または択一的には、ケーブルガイドが少なくとも１つの点保持部を有している。この点保持部によって、給電ケーブルがスタンドに位置決め可能となる。にもかかわらず、給電ケーブルをＸ線検出器の可動の使用に対してフレキシブルにハンドリングすることができるようにするために、点保持部または各点保持部は、給電ケーブルが位置決めから工具なしに解離可能であるように形成されている。点保持部または各点保持部は、有利には、磁石式保持部の形で形成されている。これに対して択一的には、点保持部をクランプ結合部またはクリップ結合部、差込み結合部、面ファスナ結合部またはこれに類するものとして形成することが提案されている。
【００２９】
以下に、本発明の実施例を図面につき詳しく説明する。
【００３０】
互いに相応する部材には、全ての図面において常に同じ符号が付してある。
【００３１】
図１および図２に概略的に示したＸ線設備１は、前置された多分割絞り（マルチリーフコリメータとも呼ばれる）３を備えたＸ線放射器２と、平面画像検出器として形成されたデジタル式のＸ線検出器４（図２には、簡略化の理由から示していない）とを有している。Ｘ線放射器２とＸ線検出器４とを保持するために、Ｘ線設備１はスタンド５を有している。
【００３２】
このスタンド５は天井スタンドとして形成されていて、相応して、ベースフレーム６で検査室の室天井７に取り付けられている。この場合、ベースフレーム６は、室天井７に取り付けられた２つの長手方向走行レール８に移動可能に懸装されていて、この長手方向走行レール８に沿って、図１の図平面に対して垂直な方向に移動することができる。さらに、ベースフレーム６の範囲には、スタンド５の伸縮キャリッジ１０を横方向１１（図１参照）に横方向移動させるための横方向走行路９が設けられている。スタンド５の高さ調節のためには、伸縮キャリッジ１０の下面１２に、引出し可能なかつ下方に突出した伸縮アーム１３が配置されている。この伸縮アーム１３の下側の端部１４には、Ｕ字形ブラケット１６を支承するための支持アーム１５が配置されている。
【００３３】
Ｕ字形ブラケット１６は、長く伸ばされたベースビーム１７を有している。このベースビーム１７は水平方向軸線１８を中心として支持アーム１５に回動可能に支承されており、これによって、ベースビーム１７が鉛直な旋回平面（図示せず）の内部で旋回可能となる。ベースビーム１７は第１の脚部１９と第２の脚部２０とを有している。この場合、両脚部１９，２０は水平方向軸線１８の領域で互いに隣接していて、そこから、ほぼ逆方向に突出している。脚部１９は自由端側にＸ線放射器２を支持している。脚部２０は自由端側に検出器ホルダ２１を支持している。この検出器ホルダ２１は、Ｘ線検出器４を、設定された位置に位置決めするために形成されている。この位置には、Ｘ線検出器４が、Ｘ線放射器２によって発せられるＸ線放射線の放射方向２２で見て、Ｘ線放射器２と反対の側にセンタリングされて位置している。
【００３４】
Ｘ線検出器４の位置決めのためには、検出器ホルダ２１がプレート状の取付けエレメント２３を有している。検出器位置を、種々異なる撮影条件を満たすことに関してフレキシブルに適合させることができるようにするためには、取付けエレメント２３を、（場合により取付けエレメント２３に位置決めされたＸ線検出器４と共に）傾動軸線２４を中心として傾動させることができ、この傾動軸線２４に対して垂直な回動軸線２５を中心として回動させることができる。
【００３５】
この場合、傾動軸線２４は水平方向軸線１８に対して平行に方向付けられている。回動軸線２５は、プレート状の取付けエレメント２３と、この取付けエレメント２３に位置決めされたＸ線検出器４の検出器面とに対する面法線にほぼ相当しており、これによって、回動軸線２５を中心とした取付けエレメント２３の回動が、この取付けエレメント２３もしくはＸ線検出器４の検出器面によって形成された主平面Ｅの内部で行われ、したがって、検出器面は、回動軸線２５を中心とした回動時に傾動させられない。
【００３６】
Ｘ線検出器４は可動式の平面画像検出器である。この平面画像検出器は、（以下に詳しく記載した形式で）検出器ホルダ２１に解離可能に位置決めされている。こうして、Ｘ線検出器４をスタンド５と別個に、特にブッキーテーブル機器（図示せず）にまたは自由な撮影のために使用することもできる。
【００３７】
Ｘ線検出器４は、制御ならびに電圧供給のために、給電ケーブル２６（図１参照）を介して制御ユニット２７に接続されている。この場合、この制御ユニット２７は天井付近でひいては特に使用者の頭上でベースフレーム６に取り付けられている。こうして、制御ユニット２７が常にＸ線設備１と一緒に移動させられることが確保されている。他方では、制御ユニット２７は、天井付近への配置によって効率よくＸ線設備１の使用者の作業範囲から引き戻されていて、これによって、Ｘ線設備１の操作時に使用者の邪魔にならない。
【００３８】
さらに、使用者を給電ケーブル２６によっても妨害しないために、Ｘ線設備１はケーブルガイド２８を有している。このケーブルガイド２８によって、給電ケーブル２６は外側でスタンド５に沿ってガイドされている。ケーブルガイド２８は、磁石式保持部として形成された幾つかの点保持部２９を有している。これらの点保持部２９によって、給電ケーブル２６が検出器ホルダ２１にもしくはＵ字形ブラケット１６のベースビーム１７に解離可能に取付け可能となる。さらに、ケーブルガイド２８は、自動引込み式の操作ワイヤの形で形成された戻し装置３０を有している。この戻し装置３０によって、給電ケーブル２６の、スタンド撮影のために必要とならないケーブル長さが、天井付近の休止位置に自動的に引き戻される（図１参照）。Ｘ線検出器４がスタンド５の外部で使用される場合には、給電ケーブル２６をその全長にわたって僅かな引張り下で戻し装置３０に対して引き出すことができる。
【００３９】
図３には、検出器ホルダ２１の第１の構成が、Ｘ線放射器２に面した側の上面３１に対する斜視的な平面図で示してある。図３ならびに図４および図５には、検出器ホルダ２１が、この検出器ホルダ２１に位置決めされたＸ線検出器４と一緒に示してある。検出器ホルダ２１はジョイント式の支持エレメント３２を有している。この支持エレメント３２はＵ字形の支持ブラケット３３と、この支持ブラケット３３に傾動軸線２４を中心として旋回可能に支承された支持プレート３４とから形成されている。さらに、この支持プレート３４には、プレート状の取付けエレメント２３が載置している。この場合、この取付けエレメント２３はつば付きブシュによって回動軸線２５を中心として旋回可能に支持プレート３４に支承されている。支持ブラケット３３は、Ｕ字形ブラケット１６の脚部２０にねじ締結されている（図２参照）。
【００４０】
支持プレート３４は、支持ブラケット３３に対して、傾動軸線２４を中心とした旋回に関する複数の旋回位置に、特に０゜（図２参照）、１５゜ならびに３０゜（図３および図４参照）で位置決め可能である。この場合、支持ブラケット３３に対する支持プレート３４の位置決めは、支持プレート３４に傾動軸線２４に沿って相対回動不能に結合された係止レバー３５を介して行われる。設定された各旋回位置では、係止レバー３５に取り付けられた係止ピン３６が、その都度の旋回位置に相当する係止収容部３７内に係合することによって、支持プレート３４がロックされる。この支持プレート３４を種々異なる旋回位置の間で調節するためには、係止レバー３５が、自由端側に取り付けられたハンドグリップで外方に引っ張られる。これによって、係止ピン３６が、対応する係止収容部３７から係止解除され、これによって、支持プレート３４が支持ブラケット３３に対して移動可能となる。
【００４１】
支持プレート３４に対する取付けエレメント２３の回動には、感覚式固定装置（図示せず）が対応配置されている。この感覚式固定装置は取付けエレメント２３を複数の回動位置で、望ましくない自動回動に対して位置固定する。この場合、この位置固定は、手による相応の操作圧を加えることによって解除可能である。回動軸線２５を中心とした取付けエレメント２３と、この取付けエレメント２３に位置決めされたＸ線検出器４との回動のためには、このＸ線検出器４に取り付けられた、操作エレメントとしてのハンドグリップ３８が働く。
【００４２】
取付けエレメント２３に対するＸ線検出器４の位置決めは、２つのクリップエレメント３９と、別の２つのクリップエレメント４０とによって行われる。これらのクリップエレメント３９，４０はＸ線検出器４を取囲み把持によって取付けエレメント２３に紛失に対して安全に保持する。この場合、クリップエレメント３９は取付けエレメント２３に固くアンカ固定されていて、位置決め位置においてハンドグリップ３８の両側でＸ線検出器４に作用している。クリップエレメント４０は、位置決め位置において、それぞれＸ線検出器４の、ハンドグリップ３８と逆方向の背縁部４１の角隅点に作用しており、これによって、Ｘ線検出器４が位置決め位置でクリップエレメント３９，４０によって全ての側で取り囲まれる。Ｘ線検出器４の取付けもしくは取外しのためには、クリップエレメント４０がその位置決め位置から、（概略的に示した）ロック解除ストローク４２だけばね負荷に抗して変位可能である。
【００４３】
Ｘ線検出器４を検出器ホルダ２１に取り付けるためには、Ｘ線検出器４が背縁部４１でクリップエレメント４０内に挿入される。この場合、このクリップエレメント４０は、Ｘ線検出器４のグリップ側の縁部がクリップエレメント３９の下方に挿入可能であるようにＸ線検出器４によって変位させられる。このＸ線検出器４のリリース時には、このＸ線検出器４が、そのロック位置に弾性的に戻るクリップエレメント４０によって自動的にロックされる。
【００４４】
特に図６および図７から明らかであるように、クリップエレメント４０は、段付けられた内側輪郭４３を有している。このことは、Ｘ線検出器４を選択的に、上面側に載着可能な散乱線除去グリッド４４の有無にかかわらず確実に、すなわち、特にほぼ遊びなしに検出器ホルダ２１に保持することができるようにするために特に有利である。
【００４５】
図８〜図１０には、位置決めされたＸ線検出器４を備えた検出器ホルダ２１の別の構成が示してある。この構成では、クリップエレメント４０の代わりに、変更されたクリップエレメント４５が設けられている。このクリップエレメント４５は、Ｘ線検出器４の背縁部４１と、互いに反対の側に位置する側縁部４６とに作用していて、Ｘ線検出器４を、グリップ側に作用しているクリップエレメント３９と一緒に所定の位置決め位置で同じく紛失に対して安全に取付けエレメント２３に保持している。Ｘ線検出器４を取り外すためには、クリップエレメント４５が、グリップ４８を介して操作可能である操作機構４７によって位置決め位置から、概略的に示したロック解除ストローク４９（図８参照）に沿って、引き戻された解放位置に移動させられ得る。この解放位置でＸ線検出器４を取り外すことができる。グリップ４８の逆方向への操作によって、ロックエレメント４５が再び位置決め位置に戻し運動させられる。クリップエレメント４５は、Ｘ線検出器４を散乱線除去グリッド４４の有無にかかわらず遊びなしに保持するために弾性的にフレキシブルに形成されている。
【００４６】
取付けエレメント２３を支持ブラケット３３に対する種々異なる旋回位置に係止するために設けられた係止ピン３６は、図８〜図１０に示した検出器ホルダ２１の構成では、感覚式固定装置として形成されている。この感覚式固定装置は、手による取付けエレメント２３の傾動によって解除可能である。このためには、恐らく別個のロック機構が操作される必要はない。回動軸線２５を中心とした取付けエレメント２３の旋回可能な支承は、支持プレート３４に加工されたリングセグメント状の３つの長孔５０（図１０参照）を介して行われる。これらの長孔５０内では、取付けエレメント２３の、対応するそれぞれ１つの位置決めピン５１が滑動する。
【００４７】
図１１〜図１４には、検出器ホルダ２１が別の構成で示してある。この構成では、取付けエレメント２３がフレーム５２を有している。このフレーム５２内には、Ｘ線検出器４を収容するための検出器ポケット５３が保持されている。Ｘ線検出器４を検出器ポケット５３内に挿入するためには、この検出器ポケット５３がフレーム５２に対して（図１４に示した）開放位置に傾動可能である。この場合、選択的には、ばねエレメント（図示せず）が設けられている。このばねエレメントは検出器ポケット５３をＸ線検出器４の不在下で自動的に開放位置に押圧し、これによって、Ｘ線検出器４が常時挿入可能となる。Ｘ線検出器４の押込み後、検出器ポケット５３が手により、フレーム５２に対してほぼ平行に方向付けられた閉鎖位置に押圧される。それぞれ検出器ポケット５３をフレーム５２に保持するガイドピン５５に作用するばねエレメント５４によって、検出器ポケット５３が、挿入されたＸ線検出器４と一緒に、フレーム５２に固く取り付けられたクリップエレメント３９に向かって押圧される。この場合、Ｘ線検出器４を、前述した形式でハンドグリップ３８の両側で取り囲むように把持するクリップエレメント３９によって、検出器ポケット５３がその閉鎖位置に保持され、これと同時にＸ線検出器４が紛失に対して安全に位置決めされる。
【００４８】
検出器ポケット５３の内部でのＸ線検出器４のセンタリングは、検出器ポケット５３の内部に配置された板ばねによって得られる。この板ばねはＸ線検出器４の両側縁部４６と選択的に平坦面の一方とに作用し、Ｘ線検出器４を検出器ポケット５３の内部で中心の位置に押圧する。板ばねによって、Ｘ線検出器４が散乱線除去グリッド４４の有無にかかわらず確実に保持されることが同時に確保される。
【００４９】
取付けエレメント２３を傾動軸線２４を中心として傾動させるために、図１１〜図１４に示した検出器ホルダ２１の構成では、回動グリップ５７が設けられている。この回動グリップ５７もやはり、図１１〜図１４に示した係止装置５８と協働する。この係止装置５８は、取付けエレメント２３と、この取付けエレメント２３に結合された支持プレート３４とを、複数の旋回位置の１つに係止する。係止装置５８のロック解除のためには、回動グリップ５７が傾動軸線２４に沿って外方に引っ張られ、これによって、取付けエレメント２３が支持ブラケット３３に対して旋回させられ得る。回動グリップ５７のリリース時には、係止装置５８が、取付けエレメント２３の、選択された新たな旋回位置に係止する。
【００５０】
取付けエレメント２３と支持プレート３４とは回動ジョイント５９を介して結合されている。この回動ジョイント５９は、回動軸線２５を中心とした取付けエレメント２３の旋回可能性を保証する。この場合、回動ジョイント５９は、（図１３に認めることができる）ピン６０を備えている。このピン６０はストッパとして支持プレート３４に対する取付けエレメント２３の回動を、設定された旋回角に制限する。
【図面の簡単な説明】
【００５１】
【図１】Ｘ線放射器と、デジタル式のＸ線検出器と、Ｘ線放射器およびＸ線検出器を保持するためのスタンドとを備えたＸ線設備の概略的な側面図である。
【図２】図１によるＸ線設備の簡単な斜視的な正面図である。
【図３】スタンドの検出器ホルダと、この検出器ホルダの取付けエレメントに位置決めされたＸ線検出器とを上側から見た斜視図である。
【図４】取付けエレメントの、図３に対して傾動軸線および回動軸線を中心として旋回させられた位置における検出器ホルダを図３により示す図である。
【図５】図４による検出器ホルダを裏側から見た斜視図である。
【図６】位置決めされたＸ線検出器を備えた図３による検出器ホルダの取付けエレメントの部分的な概略的な横断面図であり、この場合、Ｘ線検出器が、上面側に載着された散乱線除去グリッドと一緒に位置決めされている。
【図７】位置決めされたＸ線検出器を備えた図３による検出器ホルダの取付けエレメントを図６により示すであり、この場合、Ｘ線検出器が散乱線除去グリッドなしに挿入されている。
【図８】検出器ホルダと、この検出器ホルダに同じく位置決めされたＸ線検出器との択一的な構成を図３により示す図である。
【図９】図８による検出器ホルダを図４により示す図である。
【図１０】図９による検出器ホルダを図５により示す図である。
【図１１】位置決めされたＸ線検出器を備えた検出器ホルダの別の構成を図３により示す図である。
【図１２】図１１による検出器ホルダを図４により示す図である。
【図１３】図１２よる検出器ホルダを図５により示す図である。
【図１４】Ｘ線検出器の挿入時の図１１による検出器ホルダを上側から見た斜視図である。
【符号の説明】
【００５２】
１  Ｘ線設備、  ２  Ｘ線放射器、  ３  多分割絞り、  ５  スタンド、  ６  ベースフレーム、  ７  室天井、  ８  長手方向走行レール、  ９  横方向走行路、  １０  伸縮キャリッジ、  １１  横方向、  １２  下面、  １３  伸縮アーム、  １４  端部、  １５  支持アーム、  １６  Ｕ字形ブラケット、  １７  ベースビーム、  １８  水平方向軸線、  １９  脚部、  ２０  脚部、  ２１  検出器ホルダ、  ２２  放射方向、  ２３  取付けエレメント、  ２４  傾動軸線、  ２５  回動軸線、  ２６  給電ケーブル、  ２７  制御ユニット、  ２８  ケーブルガイド、  ２９  点保持部、  ３０  戻し装置、  ３１  上面、  ３２  支持エレメント、  ３３  支持ブラケット、  ３４  支持プレート、  ３５  係止レバー、  ３６  係止ピン、  ３７  係止収容部、  ３８  ハンドグリップ、  ３９  クリップエレメント、  ４０  クリップエレメント、  ４１  背縁部、  ４２  ロック解除ストローク、  ４３  内側輪郭、  ４４  散乱線除去グリッド、  ４５  クリップエレメント、  ４６  側縁部、  ４７  操作機構、  ４８  グリップ、  ４９  ロック解除ストローク、  ５０  長孔、  ５１  位置決めピン、  ５２  フレーム、  ５３  検出器ポケット、  ５４  ばねエレメント、  ５５  ガイドピン、  ５７  回動グリップ、  ５８  係止装置、  ５９  回動ジョイント、  ６０  ピン、  Ｅ  主平面
【図１】
2008520301.tif 000003
【図２】
2008520301.tif 000004
【図３】
2008520301.tif 000005
【図４】
2008520301.tif 000006
【図５】
2008520301.tif 000007
【図６】
2008520301.tif 000008
【図７】
2008520301.tif 000009
【図８】
2008520301.tif 000010
【図９】
2008520301.tif 000011
【図１０】
2008520301.tif 000012
【図１１】
2008520301.tif 000013
【図１２】
2008520301.tif 000014
【図１３】
2008520301.tif 000015
【図１４】
2008520301.tif 000016
【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
Ｘ線設備（１）に用いられるスタンド（５）において、ベースフレーム（６）に水平方向軸線（１８）を中心として回動可能に支承されたＵ字形ブラケット（１６）が設けられており、該Ｕ字形ブラケット（１６）が、Ｘ線放射器（２）を保持するための第１の脚部（１９）と、デジタル式のＸ線検出器（４）を保持するための検出器ホルダ（２１）を自由端側に備えた第２の脚部（２０）とを有しており、検出器ホルダ（２１）が、取付けエレメント（２３）を有しており、該取付けエレメント（２３）が、Ｘ線検出器（４）を、設定された位置に紛失に対して安全に取り付けるために形成されており、取付けエレメント（２３）が、Ｕ字形ブラケット（１６）に対して、水平方向軸線（１８）に対して平行にまたは接線方向に方向付けられた傾動軸線（２４）と、取付けエレメント（２３）の傾動位置と無関係に傾動軸線（２４）および取付けエレメント（２３）の主平面（Ｅ）に対して垂直な回動軸線（２５）とを中心として旋回可能であり、取付けエレメント（２３）が、Ｘ線検出器（４）を工具なしに取り付けかつ取り外すために形成されていることを特徴とする、Ｘ線設備に用いられるスタンド。
【請求項２】
取付けエレメント（２３）が、Ｘ線検出器（４）を位置決めするための幾つかのクリップエレメント（３９，４０，４５）を有している、請求項１記載のスタンド。
【請求項３】
少なくとも１つのクリップエレメント（４０）が、Ｘ線検出器（４）を取り付けるかもしくは取り外すために、所定の位置決め位置から弾性的に変位可能である、請求項２記載のスタンド。
【請求項４】
少なくとも１つのクリップエレメント（４５）が、Ｘ線検出器（４）を取り付けるかもしくは取り外すために、所定の位置決め位置から操作機構（４７）によって可逆的に変位可能である、請求項３記載のスタンド。
【請求項５】
取付けエレメント（２３）が、ポケットとして形成されており、該ポケット内にＸ線検出器（４）が押込み可能である、請求項１から４までのいずれか１項記載のスタンド。
【請求項６】
検出器ホルダ（２１）が、係止手段（３６，３７，５８）を有しており、該係止手段（３６，３７，５８）が、取付けエレメント（２３）を回動軸線（２５）および／または傾動軸線（２４）を中心とした旋回時に複数の係止位置の１つに解除可能に係止するようになっている、請求項１から５までのいずれか１項記載のスタンド。
【請求項７】
ベースフレーム（６）が、室壁または室天井（７）に取り付けるために形成されている、請求項１から６までのいずれか１項記載のスタンド。
【請求項８】
請求項１から７までのいずれか１項記載のスタンド（５）を備えたＸ線設備（１）において、Ｘ線検出器（４）と、該Ｘ線検出器（４）を制御するための制御ユニット（２７）とが設けられており、該制御ユニット（２７）が、スタンド（５）のベースフレーム（６）に取り付けられていることを特徴とする、スタンドを備えたＸ線設備。
【請求項９】
制御ユニット（２７）とＸ線検出器（４）とが、給電ケーブル（２６）によって接続されており、該給電ケーブル（２６）が、スタンド（５）に対して外側に配置されたケーブルガイド（２８）内にガイドされている、請求項８記載のＸ線設備。
【請求項１０】
ケーブルガイド（２８）が、給電ケーブル（２６）を休止位置に自動的に戻すための戻し装置（３０）を有している、請求項８または９記載のＸ線設備。
【請求項１１】
ケーブルガイド（２８）が、少なくとも１つの点保持部（２９）を有しており、該点保持部（２９）が、給電ケーブル（２６）をスタンド（５）に工具なしに解離可能に位置決めするために形成されている、請求項８から１０までのいずれか１項記載のＸ線設備。
【手続補正２】
【補正対象書類名】明細書
【補正対象項目名】０００２
【補正方法】変更
【補正の内容】
【０００２】
たとえば国際公開第８０／０１１１１号パンフレットに基づき公知であるような慣用のＸ線設備では、スタンドが設けられている。このスタンドはＸ線放射器とカセッテケースとを保持している。この場合、このカセッテケースは、フィルムカセッテ、メモリシートまたはこれに類するものを収容するために設けられている。このような形式のスタンドは、いわゆる「Ｕ字形ブラケット」を有している。このＵ字形ブラケットは水平方向軸線を中心として回動可能に支承されている。Ｕ字形ブラケットは第１の脚部にＸ線放射器を支持していて、第２の脚部にカセッテケースを支持しており、これによって、Ｘ線放射器とカセッテケースとが、室内でのＵ字形ブラケットの旋回位置と無関係に常に、放射方向を基準としてセンタリングされた対向位置に位置決めされている。公知のＸ線設備は２つのカセッテホルダを有している。両カセッテホルダは、水平方向軸線に対して平行に配置された第１の傾動軸線と、この第１の傾動軸線に対して垂直に配置された第２の傾動軸線とを中心として旋回可能である。
【手続補正３】
【補正対象書類名】明細書
【補正対象項目名】０００３
【補正方法】変更
【補正の内容】
【０００３】
従来使用されるフィルムカセッテの代わりに、最近では、ますますデジタル式のＸ線検出器が使用される。このＸ線検出器では、撮影されたＸ線画像がデジタル式の画像データの形で形成される。特にそうこうしている間、二次元の平面画像検出器が商業的に使用可能である。この平面画像検出器は可動に使用可能である。
米国特許第６４１２９７８号明細書に基づき、Ｕ字形ブラケットに固く組み付けられたデジタル式のＸ線検出器を備えたＸ線設備が公知である。Ｘ線検出器はボールジョイントを介してＵ字形ブラケットに結合されている。
さらに、Ｘ線設備に用いられるスタンドは、米国特許第３８０３４１８号明細書、米国特許第３３７３３８５号明細書ならびに英国特許第１１７５０３２号明細書に基づき公知である。
【国際調査報告】
2008520301.tif 000017
2008520301.tif 000018
2008520301.tif 000019
2008520301.tif 000020
2008520301.tif 000021
2008520301.tif 000022